(57)【要約】【課題】本発明は、重油直接脱硫装置（ＲＨ装置）による水素化処理において、触媒の劣化を抑制し、これにより触媒を長寿命化できると共に、ＲＨ装置の運転温度を低温に保つことができ運転に使用するエネルギーを抑えることができる、水素化処理を行う方法を提供することを目的とする。【解決手段】〔１〕水素化脱硫触媒を含む触媒を有する重油直接脱硫装置（ＲＨ装置）を用いて、重質油を水素化処理する方法において、重油直接脱硫装置へ供給する第一の原料油として、重質油を含む原料油を用いると共に、一時的又は間欠的に流動接触分解残油（ＣＬＯ）及び／又は重質サイクル油（ＨＣＯ）の混合割合が５０容量％を超える第二の原料油を用いて前記重油直接脱硫装置（ＲＨ装置）に通油することを特徴とする重質油の水素化処理方法、〔２〕水素化脱硫触媒を含む触媒を有する重油直接脱硫装置（ＲＨ装置）を用いて、重質油を水素化処理する方法において、重油直接脱硫装置へ供給する第一の原料油として、重質油と、全原料油に対し５〜５０容量％の流動接触分解残油（ＣＬＯ）及び／又は重質サイクル油（ＨＣＯ）との混合物を用いることを特徴とする重質油の水素化処理方法。【選択図】なし【特許請求の範囲】
【請求項１】
水素化脱硫触媒を含む触媒を有する重油直接脱硫装置（ＲＨ装置）を用いて、重質油を水素化処理する方法において、
重油直接脱硫装置へ供給する第一の原料油として、重質油を含む原料油を用いると共に、
一時的又は間欠的に流動接触分解残油（ＣＬＯ）及び／又は重質サイクル油（ＨＣＯ）の混合割合が５０容量％を超える第二の原料油を用いて前記重油直接脱硫装置（ＲＨ装置）に通油することを特徴とする重質油の水素化処理方法。
【請求項２】
第一の原料油が、全原料油に対して９０〜１００容量％の重質油を含む、請求項１に記載の水素化処理方法。
【請求項３】
第一の原料油が、全原料油に対し１〜３０容量％の流動接触分解残油（ＣＬＯ）及び／又は重質サイクル油（ＨＣＯ）を更に含む、請求項１に記載の水素化処理方法。
【請求項４】
第二の原料油中における流動接触分解残油（ＣＬＯ）及び／又は重質サイクル油（ＨＣＯ）の割合が６０容量％以上である、請求項１〜３のいずれか１項に記載の水素化処理方法。
【請求項５】
第二の原料油中における流動接触分解残油（ＣＬＯ）及び／又は重質サイクル油（ＨＣＯ）の割合が８０容量％以上である、請求項１〜４のいずれか１項に記載の水素化処理方法。
【請求項６】
水素化脱硫触媒を含む触媒を有する重油直接脱硫装置（ＲＨ装置）を用いて、重質油を水素化処理する方法において、
重油直接脱硫装置へ供給する第一の原料油として、重質油と、全原料油に対し５〜５０容量％の流動接触分解残油（ＣＬＯ）及び／又は重質サイクル油（ＨＣＯ）との混合物を用いることを特徴とする重質油の水素化処理方法。
【請求項７】
重質油が、直留残油（ＡＲ）、又は直留残油（ＡＲ）と減圧残渣油（ＶＲ）との混合油である、請求項１〜６のいずれか１項に記載の水素化処理方法。
【請求項８】
流動接触分解残油（ＣＬＯ）及び／又は重質サイクル油（ＨＣＯ）が、直留残油（ＡＲ）のみからなる原料油を重油直接脱硫装置（ＲＨ装置）で水素化処理して得られた脱硫重油（ＤＳＡＲ）を、重油流動接触分解装置（ＲＦＣＣ装置）または流動接触分解装置（ＦＣＣ装置）で接触分解して得られた流動接触分解残油（ＣＬＯ）及び／又は重質サイクル油（ＨＣＯ）を含有する、請求項１〜７のいずれか１項に記載の水素化処理方法。
【請求項９】
重油直接脱硫装置（ＲＨ装置）の触媒が、水素化分解触媒を更に含む、請求項１〜８のいずれか１項に記載の水素化処理方法。
【発明の詳細な説明】
【技術分野】
【０００１】
本発明は、水素化脱硫触媒、又は水素化脱硫触媒と水素化分解触媒を含む触媒を有する重油直接脱硫装置（以下、「ＲＨ装置」と称することがある）を用いて、重質油を水素化処理する方法に関し、さらに詳しくは、流動接触分解残油（ＣＬＯ）等を含む原料油を用いて触媒の劣化を抑制しつつ、水素化処理する方法に関する。
【背景技術】
【０００２】
従来、ＲＨ装置にて水素化脱硫処理して得られる脱硫重油、脱硫重質軽油などをさらに分解して、脱硫ナフサ、脱硫灯油、脱硫軽油を増産する水素化分解法が開発されている。また、流動接触分解装置（以下、「ＦＣＣ装置」と称することがある）にて前記脱硫重油、脱硫重質軽油を高い分解率で接触分解することにより、ＬＰＧ留分、ＦＣＣガソリン留分、接触分解軽油（ライトサイクルオイル：以下「ＬＣＯ」と称することがある）留分などの軽質留分へ転換することが行われている。
【０００３】
例えば、常圧蒸留残渣油を水素化分解処理することにより、脱硫灯軽油留分、脱硫ナフサ留分の得率を増大して脱硫重油を低減し、かつその脱硫重油をＦＣＣ装置にてＬＰＧ留分、ＦＣＣガソリン留分、ＬＣＯ留分を生産することによって、トータル的に残渣油を低減し、軽質油留分を増大させる方法が提案されている（例えば、特許文献１参照）。
しかしながら、この方法では、原料油が重質化すると常圧蒸留残渣油を水素化分解できなくなり、脱硫重油の流動接触分解の分解性も低下してＬＰＧ留分やＦＣＣガソリン留分など需要の多い軽質留分の得率が十分ではない。したがって、重質油を、水素化分解処理と流動接触分解によって効率的に分解できる方法が期待されている。
【０００４】
原油の常圧蒸留によって得られる常圧蒸留残渣油などの重質油は、通常、硫黄分や窒素分を多量に含んでいる。これらの重質油を燃料油として使用する場合、ＳＯｘやＮＯｘが発生するので、環境上の規制などにより重質油中の硫黄分や窒素分の含有量を所定の値以下にすることが必要となる。重質油の水素化精製を繰り返し行うことで、硫黄分や窒素分の含有量を十分下げることもできるが、硫黄分や窒素分を十分に除去できる条件で水素化精製処理を行った場合、水素化精製処理触媒の触媒寿命が短いなどの問題があった。また、水素化精製の反応温度を高温にすることにより、硫黄分や窒素分の除去を促進することも試みられているが、副反応として炭化水素が縮合して、ドライスラッジが発生し、製品が劣質化することや触媒上にコークが堆積して触媒が失活するという問題があった。
【０００５】
この、コーク生成の問題を解決するための一つの方法として、水素供与性化合物を用いて重質油中のコーク前駆体を水素化する方法が報告されている（特許文献２）。しかしながら、水素供与性溶剤を重質油に混合して高温で水素化処理を行っているため、ある程度コークの生成の抑制効果が見られるが、その効果は不十分であった。
【０００６】
また、水素供与性溶剤を含む、アスファルテンの凝集緩和処理剤を重質油に混合して、１５０〜３５０℃で凝集緩和処理することにより、その後に行う重質油の熱分解や接触分解などの水素の不存在下における分解反応において、コークの生成を抑制する方法が開示されている（特許文献３）。
上記の特許文献１〜３等において行われる重質油の水素化処理においては、一般的にその触媒活性の劣化が充分に抑制されず、短期間で触媒取替えが必要であった。また、更なる重質油の処理を実施するには、触媒劣化を抑制する技術開発が必要であった。
【先行技術文献】
【特許文献】
【０００７】
【特許文献１】特開平５−１１２７８５号公報
【特許文献２】特開平５−１１７６６５号公報
【特許文献３】特開２００５−３０７１０３号公報
【発明の概要】
【発明が解決しようとする課題】
【０００８】
そこで、本発明は、ＲＨ装置による水素化処理において、触媒の劣化を抑制し、これにより触媒を長寿命化できると共に、ＲＨ装置の運転温度を低温に保つことができ運転に使用するエネルギーを抑えることができる、水素化処理を行う方法を提供することを目的とする。
【課題を解決するための手段】
【０００９】
本発明者は、鋭意検討の結果、流動接触分解残油（ＣＬＯ）及び／又は重質サイクル油（ＨＣＯ）を５０容量％を超える比率で配合した原料油を一時的又は間欠的にＲＨ装置に通油することにより、水素化脱硫触媒を含む触媒を有するＲＨ装置の触媒の劣化挙動を抑制することができることを見出した。加えて、本発明者は、原料油として、重質油と、全原料油に対し５〜５０容量％の流動接触分解残油（ＣＬＯ）及び／又は重質サイクル油（ＨＣＯ）との混合物を用いることで、連続運転を行なってもＲＨ装置の触媒の劣化挙動を抑制することができることを見出した。以上の知見から本発明を完成させるに至った。
【００１０】
本発明は、以下の〔１〕〜〔９〕に関する。
〔１〕水素化脱硫触媒を含む触媒を有する重油直接脱硫装置（ＲＨ装置）を用いて、重質油を水素化処理する方法において、
重油直接脱硫装置へ供給する第一の原料油として、重質油を含む原料油を用いると共に、
一時的又は間欠的に流動接触分解残油（ＣＬＯ）及び／又は重質サイクル油（ＨＣＯ）の混合割合が５０容量％を超える第二の原料油を用いて前記重油直接脱硫装置（ＲＨ装置）に通油することを特徴とする重質油の水素化処理方法。
〔２〕第一の原料油が、全原料油に対して９０〜１００容量％の重質油を含む、〔１〕の水素化処理方法。
〔３〕第一の原料油が、全原料油に対し１〜３０容量％の流動接触分解残油（ＣＬＯ）及び／又は重質サイクル油（ＨＣＯ）を更に含む、〔１〕の水素化処理方法。
〔４〕第二の原料油中における流動接触分解残油（ＣＬＯ）及び／又は重質サイクル油（ＨＣＯ）の割合が６０容量％以上である、〔１〕〜〔３〕のいずれかの水素化処理方法。
〔５〕第二の原料油中における流動接触分解残油（ＣＬＯ）及び／又は重質サイクル油（ＨＣＯ）の割合が８０容量％以上である、〔１〕〜〔４〕のいずれかの水素化処理方法。
〔６〕水素化脱硫触媒を含む触媒を有する重油直接脱硫装置（ＲＨ装置）を用いて、重質油を水素化処理する方法において、
重油直接脱硫装置へ供給する第一の原料油として、重質油と、全原料油に対し５〜５０容量％の流動接触分解残油（ＣＬＯ）及び／又は重質サイクル油（ＨＣＯ）との混合物を用いることを特徴とする重質油の水素化処理方法。
〔７〕重質油が、直留残油（ＡＲ）、又は直留残油（ＡＲ）と減圧残渣油（ＶＲ）との混合油である、〔１〕〜〔６〕のいずれかの水素化処理方法。
〔８〕流動接触分解残油（ＣＬＯ）及び／又は重質サイクル油（ＨＣＯ）が、直留残油（ＡＲ）のみからなる原料油を重油直接脱硫装置（ＲＨ装置）で水素化処理して得られた脱硫重油（ＤＳＡＲ）を、重油流動接触分解装置（ＲＦＣＣ装置）または流動接触分解装置（ＦＣＣ装置）で接触分解して得られた流動接触分解残油（ＣＬＯ）及び／又は重質サイクル油（ＨＣＯ）を含有する、〔１〕〜〔７〕のいずれかの水素化処理方法。
〔９〕重油直接脱硫装置（ＲＨ装置）の触媒が、水素化分解触媒を更に含む、〔１〕〜〔８〕のいずれかの水素化処理方法。
【発明の効果】
【００１１】
本発明によれば、ＲＨ装置の触媒劣化を抑制することができる。これにより触媒の長寿命化ができると共に、ＲＨ装置の運転温度を低温に保つことができ運転に使用するエネルギーを抑えることができる。
【発明を実施するための形態】
【００１２】
本発明の水素化処理方法は、水素化脱硫触媒を含む触媒を有するＲＨ装置を用いて、重質油の水素化処理をする。
本発明の第一形態の水素化処理方法においては、ＲＨ装置へ供給する第一の原料油として、重質油を含む原料油を用いると共に、一時的又は間欠的に流動接触分解残油（以下、「ＣＬＯ」と称することがある）及び／又は重質サイクル油（以下、「ＨＣＯ」と称することがある）の混合割合が５０容量％を超える第二の原料油を用いて水素化処理する。本発明によれば、一時的又は間欠的に第二の原料油を用いて水素化処理することで、ＲＨ装置の触媒劣化を抑制することができる。
本発明の第二形態の水素化処理方法においては、ＲＨ装置へ供給する第一の原料油として、重質油と、全原料油に対し５〜５０容量％の流動接触分解残油（ＣＬＯ）及び／又は重質サイクル油（ＨＣＯ）との混合物を用いる。本発明によれば、当該混合物を用いることで、第一の原料油の水素化処理を行なう連続運転をした場合であっても、ＲＨ装置の触媒劣化を抑制することができる。
【００１３】
本発明の重油直接脱硫装置（ＲＨ装置）における水素化脱硫及び水素化分解は、触媒の存在下で行い、反応温度、圧力、液空間速度等の反応条件を最適化することにより必要とされる脱硫率を達成することができる。水素化脱硫及び水素化分解は、通常３３０〜４２０℃、好ましくは３８０〜４２０℃の温度条件下で通常１０〜２２ＭＰａ、好ましくは１３〜２０ＭＰａの水素加圧下で行われる。
また、本発明では、前記重油直接脱硫装置は、重質油の水でい分（ＪＩＳ  Ｋ  ２６０１−１４により測定した。）が、５０００質量ｐｐｍ以下、好ましくは１００質量ｐｐｍ以下となる条件で動作することが好ましい。
【００１４】
（第一の原料油）
本発明において、重油直接脱硫装置（ＲＨ装置）へ供給する第一の原料油として使用される重質油は、常圧蒸留残渣油（ＡＲ）又は、ＡＲと減圧蒸留残渣油（ＶＲ）との混合油が好ましい。ＶＲは、ＡＲを減圧蒸留することによって得られる残渣油であり、ＡＲよりさらに重質な残渣油であるが、ＡＲと混合して用いることができる。ＶＲの含有量は、重油低減の観点およびＲＨ装置の触媒への負荷軽減の観点から、好ましくは、ＡＲに対して５〜５０容量％である。
第一の原料油における重質油の含有量は、全原料油に対して７０〜１００容量％が好ましく、９０〜１００容量％がより好ましく、９５〜１００容量％が更に好ましい。
【００１５】
重質油と共に用いられるＣＬＯ及び／又はＨＣＯは、重油流動接触分解装置（以下、「ＲＦＣＣ装置」と称することがある）もしくは流動接触分解装置（ＦＣＣ装置）から得られたエフルエントを蒸留にて分離して得られたものであるが、効率的に分解を行う観点から、前記ＡＲ単独由来の脱硫重油（以下、「ＤＳＡＲ」と称することがある）を、ＲＦＣＣ装置もしくはＦＣＣ装置の原料油の少なくとも一部として用いて、後述のＲＦＣＣ装置もしくはＦＣＣ装置と同様の条件で得られたＣＬＯ及び／又はＨＣＯを用いることが好ましい。ＣＬＯで循環を繰り返す場合は、ある一定以上はＣＬＯの分解が進まず、未分解油として残り、精製費の浪費になるからである。
流動接触分解装置（ＦＣＣ）もしくは重油流動接触分解装置（ＲＦＣＣ）の処理条件は、本発明の効果を奏する範囲で特に限定されないが、例えば、反応出口温度（ＲＯＴ）４８０〜６５０℃の範囲が好ましく、４８０〜５５０℃の範囲がより好ましい。また、反応圧力は０．０２〜５ＭＰａの範囲が好ましく、０．２〜２ＭＰａの範囲がより好ましい。反応温度および反応圧力が上記範囲内であると、流動接触分解触媒の分解活性が高く好ましい。
【００１６】
本発明に用いられるＣＬＯ及び／又はＨＣＯは、高温ガスクロマトグラフィーにより得られる蒸留曲線において１０％〜９０%留分が２００〜７００℃であり、２５０〜６５０℃であればより好ましい。
本発明においては、ＣＬＯ及び／又はＨＣＯ中に含まれる水でい分は、ＲＨ装置の触媒層への堆積による差圧の発生を防止し、偏流によるホットスポットの発生を防止する観点から、５０００ｐｐｍ以下であることが好ましく、１００ｐｐｍ以下であることがより好ましい。
上記ＣＬＯ及び／又はＨＣＯは、その芳香族化合物分含有量が、６０〜９５質量％であるが、本発明においては、７０〜８０質量％であることが好ましい。また、硫黄分含有量は、一般に０．３〜１．１質量％である。
【００１７】
第一形態において、水素化処理する第一の原料油中におけるＣＬＯ及び／又はＨＣＯの含有割合は、効率的に水素化脱硫を行う点から、原料油の合計量の５０容量％以下、好ましくは１〜３０容量％、より好ましくは３〜２０容量％、更に好ましくは３〜１０容量％である。
ＣＬＯ及び／又はＨＣＯの含有量が多すぎると、ＦＣＣ装置に戻るため、ＦＣＣ装置において、コークが多く生成する原因となり、流動接触分解触媒の再生塔への負荷が高くなり、触媒循環量が低下し、分解率が低下することがあり、更には、通油量を低下せざるを得なくなりガソリン留分等の得量が低下してしまうことがある。結果的に有用なＦＣＣガソリン留分、灯軽油留分が十分得ることが出来なくなる場合がある。また、上記含有量が少なすぎると、所望の効果が得られないことがある。
第二形態において、水素化処理する第一の原料油中におけるＣＬＯ及び／又はＨＣＯの含有割合が、全原料油に対し５〜５０容量％であることが好ましい。当該範囲のＣＬＯ及び／又はＨＣＯが含まれることで、後述する第二の原料油を一時的又は間欠的に通油することなく、第一の原料油を連続通油することで、水素化処理を行ないつつ、触媒劣化を緩和することができる。第一の原料油の連続通油のみで、触媒劣化を緩和する観点から、ＣＬＯ及び／又はＨＣＯの含有割合が、５〜４０容量％がより好ましく、７〜３５容量％がより好ましい。
第一の原料油中に含まれる硫黄分の量は特に限定されないが、通常は、０．３〜５質量％程度である。
【００１８】
（第二の原料油）
本発明の第一形態においては、一時的又は間欠的に第二の原料油を用いて重油直接脱硫装置（ＲＨ装置）に通油する。ＲＨ装置において上記の第一の原料油を水素化処理する際に、一時的又は間欠的に第二の原料油を通油することで、触媒の劣化を抑制することができる。「一時的又は間欠的に」とは、上記の第一の原料油の水素化処理に対して、一定期間、第二の原料油による処理を行うことを意味する。
【００１９】
第二の原料油は、ＣＬＯ及び／又はＨＣＯの混合割合が５０容量％を超える。第二の原料油において、ＣＬＯ及び／又はＨＣＯの混合割合が５０容量％以下になると、触媒劣化緩和効果が得られにくくなる。第二の原料油中のＣＬＯ及び／又はＨＣＯの混合割合は、効率的に触媒の劣化緩和を行う点から、好ましくは原料油中全体に対して、ＣＬＯ及び／又はＨＣＯとの合計の混合割合が７０容量％以上であり、より好ましくは９０容量％以上、特に好ましくは９５容量％以上である。上限は例えば１００容量％である。
【００２０】
第一の原料油及び第二の原料油において、ＣＬＯ及び／又はＨＣＯのＲＨ装置への導入方法については、特に制限はなく、重質油と別々に導入してもよく、また、予め重質油と混合した原料油として導入してもよい。本発明においては、ＲＨ装置における水素化脱硫および水素化分解反応の均一性を保つ点から、予め重質油と混合した原料油として導入することが好ましい。
【００２１】
（第一の原料油の水素化処理方法）
本発明においては、上記重質油とＣＬＯ及び／又はＨＣＯを含む第一の原料油を、ＲＨ装置において水素化脱硫してＤＳＡＲを得る。
第一の原料油の水素化脱硫は、水素化脱硫触媒の存在下で行い、反応温度、圧力、液空間速度等の反応条件を最適化することにより必要とされる脱硫率を達成することができる。水素化脱硫は、通常３３０〜４２０℃、好ましくは３８０〜４２０℃の温度条件下で通常１０〜２２ＭＰａ、好ましくは１３〜２０ＭＰａの水素加圧下で行われる。液空間速度（ＬＨＳＶ）は通常０．１〜１．０ｈ-1、水素／油比は好ましくは５００〜２０００Ｎｍ3／ｋＬの範囲で行われる。
【００２２】
水素化脱硫は、第一工程として水素化脱金属処理工程、第二工程として水素化脱硫処理工程の２工程を含むことが好ましい。原料油は、始めに第一工程である水素化脱金属処理工程で、水素化脱金属処理され、水素化脱硫触媒の活性低下の原因となるバナジウム、ニッケルなどの重金属が水素化され脱金属される。次いで水素化脱金属処理工程で処理された留出油は、第二工程である水素化脱硫処理工程に送られ水素化脱硫処理される。この時、第一工程と第二工程は同一装置内で行うこともできるが、別装置で行っても良い。
【００２３】
本発明においては、触媒の劣化抑制の点から、前記ＲＨ装置の上流に、別途ＯＣＲ等の脱金属装置を付帯して有することもできる。
上記第一工程と第二工程の機能分担を実現させる具体的手段としては、触媒担体の細孔構造と担持金属量とをパラメーターとして、例えば、第一工程においては、担体の細孔径を大きく（又は金属担持量を少なく）する方法により、触媒の細孔容積を大きくして、分子の大きな金属を捕捉して、第二工程では表面積の大きい（細孔径が小さく、数の多い）担体に、活性金属をより多く担持した触媒を用いて、主として硫黄化合物の水素化脱硫を行なう。これら各工程は、前記のとおりの主たる機能分担を有するが、全体としては重質油とＣＬＯ及び／又はＨＣＯを含む原料油の水素化が行われる。
【００２４】
（水素化脱硫触媒）
本発明において、使用される水素化脱硫触媒は、水素化脱硫能を持った公知の触媒をいずれも用いることができ、例えば、アルミナ、シリカ−アルミナ、ゼオライトあるいはこれらの混合物等の担体に、周期表（長周期）第５〜１０族金属、あるいはこれらの硫化物、酸化物を担持した触媒を用いることができる。上記周期表第５〜１０族の金属としては、水素化脱硫に適した活性金属という点から、好ましくは周期表第６、９及び１０族から選ばれる少なくとも１種の金属が用いられ、より好ましくはニッケル、コバルト、モリブデン、タングステン等が用いられる。本発明においては、原料油に対してより水素化脱硫、水素化分解及び水素化能の優れている点から、触媒として、アルミナにニッケルおよびモリブデンを担持したものが好ましく用いられる。
【００２５】
（水素化分解触媒）
本発明において、使用される水素化分解触媒としては、水素化分解能を有する公知の触媒をいずれも用いることができるが、例えば、少なくともゼオライトを含む担体に、周期表第５〜１０族金属、あるいはこれらの硫化物、酸化物を担持した触媒を用いることが好ましい。水素化分解触媒に用いるゼオライトは、特に限定されないが、結晶性アルミノシリケートを用いることができる。ゼオライトは、細孔径５０〜１０，０００Åの細孔の総細孔容積に対し、細孔径５００〜１０，０００Åの細孔の細孔容積が１０％以上であることが好ましい。また、細孔径１００〜２００Åの細孔の細孔容積が、細孔径５０〜１０，０００Åの細孔の総細孔容積に対し２５％以上であることが好ましく、細孔径５０〜５００Åの細孔の細孔容積に対し５０％以上であることがより好ましい。
【００２６】
上記水素化脱硫及び水素化分解で用いられる反応器としては従来公知の様式の反応器、例えば固定床、移動床をいずれも使用することができ、ダウンフロー式、アップフロー式のいずれであってもよい。
ＲＨ装置における水素化脱硫及び水素化分解を行った場合に、得られる反応生成物は、気液分離装置により気液を分離し、液相は蒸留等の分離操作によりナフサ留分、灯油留分、軽油留分、重油留分等の所望の留分に分留し回収する。このとき得られる重油留分である脱硫重油（ＤＳＡＲ）をＲＦＣＣ装置もしくはＦＣＣ装置の重質油として用いる。
【００２７】
上記ＲＨ装置における水素化脱硫により得られるＤＳＡＲは、その脱硫率（ＨＤＳ）、脱窒素率（ＨＤＮ）、脱バナジウム率（ＨＤＶ）、脱ニッケル率（ＨＤＮｉ）、脱残炭率（ＨＤＣＣＲ）、脱アスファルテン率（ＨＤＡｓ）がそれぞれ、８０〜９０％以上、３５〜４０％以上、７５〜８０％以上、６５〜７５％以上、５０〜５５％以上、６０％以上であることが好ましい。これらは、いずれもＲＨ装置の原料油と生成油中の各成分量から、各成分の除去割合として算出される。
得られたＤＳＡＲは、軽油等のいわゆる中間留分となり得る留分は、極力軽油等に活用するという点から、沸点が３３０℃以上の重質留分であることが好ましく、その芳香族分含有量は、７０〜９０質量％であることが好ましく、硫黄分含有量は０．２〜０．５質量％であることが好ましい。上記ＲＨ装置で水素化脱硫されて得られたＤＳＡＲは、次いで、ＲＦＣＣ装置もしくはＦＣＣ装置に導入され、流動接触分解される。
【００２８】
（第二の原料油の通油方法）
第二の原料油は、ＲＨ装置に通油される。液空間速度（ＬＨＳＶ）は通常０．１〜１．０ｈ-1、の範囲で行われる。第二の原料油の通油において、処理温度は、触媒劣化緩和の観点から、前記液空間速度で処理後の原料油の硫黄分が０．１〜１質量％となるように調整した触媒平均温度（ＣＡＴ）が好ましい。また当該処理温度は、例えば、３３０〜４２０℃が好ましく、３７０〜４００℃が更に好ましい。第二の原料油の通油は、通常１０〜２２ＭＰａ、好ましくは１３〜２０ＭＰａの水素加圧下で行われ、水素／油比は好ましくは５００〜２０００Ｎｍ3／ｋＬの範囲で行われる。
当該第二の原料油による通油時間は、特に限定されないが、例えば１時間〜４日間が好ましく、第二の原料油による通油は、１日〜１５日毎に行うことが好適である。
【実施例】
【００２９】
次に実施例により本発明を具体的に説明するが、本発明はこれらの例によって何ら制限されるものではない。
【００３０】
実施例１
（第一の原料油の水素化処理：工程１−１）
ＲＨ装置の触媒層の上段にアルミナ担体にニッケル及びモリブデンを金属酸化物として触媒質量に対しそれぞれ２．５質量％、１０．０質量％担持した脱金属触媒２０質量％を充填し、中段に同様にアルミナ担体にニッケル及びモリブデンを金属酸化物として触媒質量に対しそれぞれ３．０質量％、１２．５質量％担持した脱硫触媒Ａを４０質量％充填し、さらに、下段にアルミナ担体にニッケル及びモリブデンを金属酸化物として触媒質量に対しそれぞれ３．０質量％、１３．３質量％担持した脱硫触媒Ｂを４０質量％充填して、常圧蒸留装置から得られたＡＲ（芳香族分含有量：６３．９質量％、硫黄分含有量：３．２５質量％）１００容量％をＲＨ装置に、水素分圧１４．５ＭＰａ（水素／油比：７５０Ｎｍ3／ｋＬ）、液空間速度（ＬＨＳＶ）を０．２ｈｒ-1として、脱硫重油（ＤＳＡＲ）の硫黄分が０．５質量％となるように触媒平均温度（ＣＡＴ）を調整して２７６時間通油した。
【００３１】
（第二の原料油の通油：工程１−２）
上記の工程１−１終了後、原料油として、重油流動接触分解装置（ＲＦＣＣ装置）由来のＣＬＯ（芳香族分含有量：７２．９質量％、硫黄分含有量：０．９４質量％、泥水分量：４０質量ｐｐｍ）１００容量％をＲＨ装置に、水素分圧１４．５ＭＰａ（水素／油比：７５０Ｎｍ3／ｋＬ）、液空間速度（ＬＨＳＶ）を０．２ｈｒ-1として、ＤＳＡＲの硫黄分が０．５質量％となるようにＣＡＴを調整して８４時間通油した。
【００３２】
（第一の原料油の水素化処理：工程１−３）
上記の工程１−２終了後、上記工程１−１で通油したＡＲを、再度ＲＨ装置に、水素分圧１４．５ＭＰａ（水素／油比：７５０Ｎｍ3／ｋＬ）、液空間速度（ＬＨＳＶ）を０．２ｈｒ-1として、ＤＳＡＲの硫黄分が０．５質量％となるようにＣＡＴを調整しながら２７６時間通油した。
上記運転後、上記の工程１−１及び工程１−３における通油時間に対するＣＡＴ（℃）のプロットにより検量線を作成して触媒の劣化速度（℃／ｄａｙ）を算出し、運転２５０日経過後のＣＡＴを算出し、表１に示した。なお、本実施例における運転２５０日経過後のＣＡＴは、３０日中７日間を工程１−２の運転に切り替える間欠運転し、第一の原料油の水素化処理の延べ運転日数が２５０日となる場合を想定して算出した。
表１中の通常運転の運転２５０日経過後のＣＡＴは、上記の工程１−１における通油時間に対するＣＡＴ（℃）のプロットにより検量線を作成して触媒の劣化速度（℃／ｄａｙ）を算出し、連続運転２５０日経過後のＣＡＴを算出した。
【００３３】
実施例２（ＣＬＯ１０容量％混合油の水素化処理）
ＲＨ装置の触媒層の上段にアルミナ担体にニッケル及びモリブデンを金属酸化物として触媒質量に対しそれぞれ２．５質量％、１０．０質量％担持した脱金属触媒２０質量％を充填し、中段に同様にアルミナ担体にニッケル及びモリブデンを金属酸化物として触媒質量に対しそれぞれ３．０質量％、１２．５質量％担持した脱硫触媒Ａを４０質量％充填し、さらに、下段にアルミナ担体にニッケル及びモリブデンを金属酸化物として触媒質量に対しそれぞれ３．０質量％、１３．３質量％担持した脱硫触媒Ｂを４０質量％充填して、常圧蒸留装置から得られたＡＲ（芳香族分含有量：６３．９質量％、硫黄分含有量：３．２５質量％）９０容量％と重油流動接触分解装置（ＲＦＣＣ装置）由来のＣＬＯ（芳香族分含有量：７２．９質量％、硫黄分含有量：０．９４質量％、泥水分量：４０質量ｐｐｍ）１０容量％をタンク内で混合し、第一の原料油（芳香族分含有量：６４．１７質量％、硫黄分含有量：３．１８質量％）を調製し、当該第一の原料油をＲＨ装置に、水素分圧１４．５ＭＰａ（水素／油比：７５０Ｎｍ3／ｋＬ）、液空間速度（ＬＨＳＶ）を０．２ｈｒ-1として、脱硫重油（ＤＳＡＲ）の硫黄分が０．５質量％となるように触媒平均温度（ＣＡＴ）を調整して３６０時間通油した。
上記の通油時間に対するＣＡＴ（℃）のプロットにより検量線を作成して触媒の劣化速度（℃／ｄａｙ）を算出し、連続運転２５０日経過後のＣＡＴを算出し、表１に示した。
【００３４】
実施例３（ＣＬＯ３０容量％混合油の水素化処理）
ＲＨ装置の触媒層の上段にアルミナ担体にニッケル及びモリブデンを金属酸化物として触媒質量に対しそれぞれ２．５質量％、１０．０質量％担持した脱金属触媒２０質量％を充填し、中段に同様にアルミナ担体にニッケル及びモリブデンを金属酸化物として触媒質量に対しそれぞれ３．０質量％、１２．５質量％担持した脱硫触媒Ａを４０質量％充填し、さらに、下段にアルミナ担体にニッケル及びモリブデンを金属酸化物として触媒質量に対しそれぞれ３．０質量％、１３．３質量％担持した脱硫触媒Ｂを４０質量％充填して、常圧蒸留装置から得られたＡＲ（芳香族分含有量：６３．９質量％、硫黄分含有量：３．２５質量％）７０容量％と重油流動接触分解装置（ＲＦＣＣ装置）由来のＣＬＯ（芳香族分含有量：７２．９質量％、硫黄分含有量：０．９４質量％、泥水分量：４０質量ｐｐｍ）３０容量％をタンク内で混合し、第一の原料油（芳香族分含有量：６４．１７質量％、硫黄分含有量：３．１８質量％）を調製し、当該第一の原料油をＲＨ装置に、水素分圧１４．５ＭＰａ（水素／油比：７５０Ｎｍ3／ｋＬ）、液空間速度（ＬＨＳＶ）を０．２ｈｒ-1として、脱硫重油（ＤＳＡＲ）の硫黄分が０．５質量％となるように触媒平均温度（ＣＡＴ）を調整して３６０時間通油した。
上記の通油時間に対するＣＡＴ（℃）のプロットにより検量線を作成して触媒の劣化速度（℃／ｄａｙ）を算出し、連続運転２５０日経過後のＣＡＴを算出し、表１に示した。
【００３５】
【表１】
2014145009.tif 000002
【００３６】
これらの結果によれば、一時的又は間欠的に流動接触分解残油（ＣＬＯ）及び／又は重質サイクル油（ＨＣＯ）の混合割合が５０容量％を超える第二の原料油を用いて水素化処理することで、２５０日経過後の補正ＣＡＴを低く保つことができ、触媒の劣化が緩和されていることがわかる。
【産業上の利用可能性】
【００３７】
本発明によれば、一般的にその触媒活性の劣化が大きな重油直接脱硫装置による水素化処理方法において、触媒劣化を緩和することができるため、重油直接脱硫装置の運転温度を低く保つことができるので省エネルギー効果が得られる。